(57)【要約】［課題］凍蔵庫（冷蔵貯蔵庫）や冷蔵庫は家庭用でも業務用でも殆どが電気式であるが、その全てが貯蔵室内が乾燥して貯蔵食品を乾燥化させる。この問題を解決したい。［解決手段］そこで、冷蔵庫では、それ自体で氷を製って、その氷で以て冷却するようにして、そこで生じる水分で以て湿気を保つようにし、製氷水を融解水で以て循環するようにした、ウエットコールダー。また、凍蔵庫では、真空乾燥の現象から推して、その逆を行けば即ち空気などを圧入して加圧すれば、貯蔵食品の乾燥化が防げると気付いたところのものである、ウエットフリーザー。【選択図】なし。【特許請求の範囲】
【請求項１】
電気式あるいはガス式冷蔵庫において、貯蔵室内に製氷器を設けて、製氷するようにし、氷が出来るとその製氷器を停止するようにして、出来た氷で以て冷室し、その製氷器に氷融解水受器を設けて、それに氷が融解して行って水が溜まる訳であるが、融解して仕舞うと、その水が製氷器に戻るようにし、戻り終わると製氷器が作動するようにして再び製氷を始めるようにする、このサイクルを繰り返すようにして、貯蔵室内に湿気が保てるようにし、貯蔵食品の乾燥化を防止するようにした、ウエットコールダーと呼ぶことにする、家庭用及び業務用乾燥化防止冷蔵庫。
【請求項２】
凍蔵庫（冷凍貯蔵庫）において、貯蔵室に空気や窒素などを圧入して室内の気圧を高めて、貯蔵食品から水分が蒸発するのを防止化するようにした、ウエットフリーザーと呼ぶことにする、主として業務用冷凍貯蔵庫。
【発明の詳細な説明】
［発明の属する技術分野］
家庭用または業務用の凍蔵庫（冷凍貯蔵庫）と冷蔵庫に関するものである。
［従来の技術］
凍蔵庫や冷蔵庫は家庭用でも業務用でも殆どが電気式であるが、その全てが貯蔵室内が乾燥して貯蔵食品を乾燥化させる。
［発明が解決しようとする課題］
昔の氷冷蔵庫は氷が徐々に解けて行く場合の融解奪熱作用によっていたので、貯蔵室内に常に水分が供給されているわけで、室内が乾燥することはなかった。従って肉や魚などでもラップすることなくそのまま貯蔵することが出来た。この氷冷蔵庫の特徴を電気式あるいはガス式の冷蔵庫に採り入れて、これら冷蔵庫の乾燥問題を解決したい。
また、牛肉などの流通過程における凍蔵による食品乾燥化問題も解決したい。
［課題を解決するための手段］
そこで、冷蔵庫ではそれ自体で氷を製って、その氷で以て冷却するようにして、氷冷蔵庫の特徴を出すことを発想した。そして、凍蔵庫では真空乾燥の現象から推して、その逆を行けば即ち加圧すれば貯蔵食品の乾燥化が防げると気付いた。この原理を応用した機器は私の知るところではこれまでになかった。
［発明の実施の形態］
これらの手段を簡潔に纏めたものが「特許請求の範囲」の本発明である。
［発明の効果］
本発明によって、特に輸入牛肉や海老などの産地から国内の家庭に於けるまでの流通過程における乾燥化によって、身が硬くなって品質が落ちて困っていた問題がすっかり解決されることになり、国民はかなり上質の輸入の牛肉や海老などが食べられることになろう。
この流通過程に於ける凍蔵庫と冷蔵庫の需要量は膨大なものであって、夫々の分野に専門企業を興し、世界的視野で製造販売したいと思っている。
本発明によって輸入牛肉の価値が高まると、国産牛肉が太刀打ちできなくなることは十分考えられる。国内の養牛農家はその対策を抜本的に立てなくてはならない。
これまで養牛は同和対策事業の一として、田地を持たない人に多く奨励したので、牛に与える稲藁を獲得することが出来ず、甚だしい場合では稲藁や乾燥牧草を輸入するようなことをしていた。穀物飼料は勿論言うに及ばずである。これでは生産コストは嵩んでしまい、とても輸入牛肉に太刀打ちできるはずがなかった。これからは広く田地を持って稲藁を十分に生産できる自作農家に生産拠点を移し、コストを大幅に下げて、国産牛肉の振興を図るようにしたいものである。
稲藁は大釜で茹でて、これも茹でた麦やトウモロコシなどと塩を振って混ぜて与えれば、酪牛は兎も角太らすだけの育牛では十分であって、生の粉の穀物飼料を現在のように多用する必要は全くない。
アメリカやオーストラリヤでは稲藁は採れない。牧草に頼る以外にない。単位面積当たりの牧草の収量は稲藁に比べれば微々たるもので、従って彼の地では育牛に莫大な牧地が要る。そのコストは大変なものであろう。この私の提案が受け入れられれば、日本の育牛のコストはアメリカやオーストラリヤに余り劣ることはないように思える。
同和族は同和対策工場で働くことには余り劣等感は感じないようであるが、これまでは大農家で働くことには思想がついて行けなかったようである。同和思想は土地とか資本とかの所有権を破壊しようとする。詰まり行き着くところ土地と資本を共産化することを目的としている。その目的は我国では殆ど達成されており、大地主もいないし大資本家もいなくなった。その結果政府や企業などの組織の所有権が曖昧になり、所有による責任体制が採れなくなり、誰も組織のリスクを自分のものとして被る者がいなくなり、資金と言うものに誰も責任を持たなくなり、借り放題貸し放題となってしまった。経済行為の基本である働きや働いたものを互いに交換できるように国民に仕事と職を分け合うようにすることは今日になればなるほど出来なくなり、互いに交換できるものを持っていない公務員族と医療族と同和族が経済の大きな部分を占めてしまうことになり、交換によることなく盗み取るだけの者が支配することになってしまった。所有に基づきリスクを被る者が働きや働いたものを造り出す仕事と職の責任者となるように国を改革しないと今日の不景気から本格的に抜け出すことはとても出来ないであろう。
「天は人の上に人を造らず、人の下に人を造らずと云へり」「人は生まれながらにして貴賤貧富の別なし」と言う水平平等思想を根本におく同和主義は大蔵省・財務省にまで蔓延し、福沢諭吉をお札にしてまで、同和共産主義化は推し進められている。この共産化を食い止め、日本に真の資本家主義を取り返さない限り、真に働きを求め真に働いたものを交換してくれる先を育てようとする者はいなくなってしまう。
アメリカに民主党と共和党がある。民主党はアメリカの地主と資本家の党として出発した。共和党はそれに２６年遅れてその反対勢力として興った。無産経営者党と言える。現在のアメリカは本当に資本家主義国と言える状態にあるのか。日本と同様に地主と資本家を潰し、所有権を担保としてリスクを被ると言う責任性の全くない一時主義の同和盗人主義の経営者主義にスピードを速めながら突進しているように思えて仕方がない。同和人権主義者に対する場合には、資本家主義者は常に、君は仕事や職が欲しくて主張するのかそれとも単に金銭のみが欲しいのかと常に尋ねなくてはならない。そして彼らの要求に応えて仕事や職ではなく金銭を与える約束で以て地位に付いている或いは付こうとしている者こそ所有に基づかない同和共産思想の権力者と言えるのではあるまいのか。
発明は科学技術だけで以てしては決して国を富ますことにはならない。国家の在り方即ち地主や資本家による自己の財産を担保にした責任性に頼らなくして永遠性を願わず一時に金銭を上手いことしようとしうる地位を得ている者あるいは得ようとしている者に頼っては国民は仕事と職を与えられることは少なく、国は滅んでしまおう。日本に所有権に基づく責任性を担保した権力者群が百数十年の空白を超えて再生し、国民が本発明による仕事と職を通してより豊かな消費者に育つように政経してもらえる国になることを祈っている。
［図面の簡単な説明］
図面は本発明の説明上必要としないので、省略する。
【手続補正書】
【提出日】平成14年12月21日(2002.12.21)
【手続補正１】
【補正対象書類名】明細書
【補正対象項目名】特許請求の範囲
【補正方法】変更
【補正の内容】
【特許請求の範囲】
【請求項１】
電気式あるいはガス式の冷蔵庫において、貯蔵室内に製氷器を設けて、製氷するようにし、氷が出来るとその製氷器を停止するようにして、その出来た氷で以て冷室し、そして、氷が溶けて行って水になる訳であるが、そうなると、再び製氷器が作動するようにして製氷を始めるようにする、このサイクルをサーモスタットなどで以て繰り返すようにして、この氷冷蔵庫化によって貯蔵室内に湿気が保てるようにし、貯蔵食品の乾燥を防止することが出来るようにした、ウェットコールダーと呼ぶことにする、家庭用および業務用の乾燥化防止冷蔵庫。
【請求項２】
凍蔵庫（冷凍貯蔵庫）において、貯蔵室に空気や窒素などを圧入して室内の気圧を高めて、貯蔵食品から水分が蒸発するのを防止化するようにした、ウェットフリーザーと呼ぶことにする、主として業務用冷凍貯蔵庫。